(57)【要約】【課題】デジタル放送受信装置にＩＥＥＥ１３９４バスで接続した外部録画機器を制御する際の操作性向上と誤操作を防止する。【解決手段】ＩＥＥＥ１３９４規格準拠のＡＶ／Ｃコマンドを送信して外部録画機器の録画再生動作を制御する際に、ユーザに対して提示するＧＵＩの操作ボタン即ち仮想リモコン１０ｂをＯＳＤ画面表示し、ユーザが押下指示した操作ボタンに対応するＡＶ／Ｃコマンドを直ちには送信せずに、押下指示の確認、更なるＧＵＩの操作ボタンの押下指示、押下指示のキャンセルのいずれかをユーザが選択可能なＧＵＩの選択用案内画面１０ｄをＯＳＤ画面表示する。更に、選択用案内画面１０ｄとして、先に押下指示された操作ボタンに対応するＡＶ／Ｃコマンドと組み合せ可能な複数のＡＶ／Ｃコマンドを生成するような選択も可能とする。また、仮想リモコン１０ｂとして、複数のＡＶ／Ｃコマンドの組み合せと対応する操作ボタンを設けても良い。【選択図】        図４
2004357012.tif 000002
【特許請求の範囲】
【請求項１】
デジタルテレビ放送を受信するデジタル放送受信装置であって、ＩＥＥＥ１３９４バスに接続した外部録画機器との間で、ＭＰＥＧ２ストリームをＩＥＥＥ１３９４規格準拠のデータパケットに変換して送受信すると共に、ＩＥＥＥ１３９４規格準拠のＡＶ／Ｃコマンド（Ａｕｄｉｏ／Ｖｉｄｅｏ    Ｃｏｎｔｒｏｌ  Ｃｏｍｍａｎｄ    Ｔｒａｎｓａｃｔｉｏｎ  Ｓｅｔ）によって前記外部録画機器をコントロールして録画再生動作を実行することができるデジタル放送受信装置において、前記外部録画機器をコントロールするために、ＯＳＤ（Ｏｎ−Ｓｃｒｅｅｎ    Ｄｉｓｐｌａｙ）画面表示してユーザに対して提示するＧＵＩ（Ｇｒａｐｈｉｃａｌ    Ｕｓｅｒ    Ｉｎｔｅｒｆａｃｅ）の複数の操作ボタンと、該操作ボタンのいずれかを選択して押下指示した際に、前記外部録画機器に対して、押下指示された操作ボタンに対応する前記ＡＶ／Ｃコマンドを直ちには送信せずに、ユーザの確認、あるいは、更なるＧＵＩの操作ボタンの押下指示のいずれかを選択することをユーザに対して要求するＧＵＩの選択用案内画面をＯＳＤ画面表示することができることを特徴とするデジタル放送受信装置。
【請求項２】
請求項１に記載のデジタル放送受信装置において、前記外部録画機器を録画一時停止状態に移行させる場合、ＧＵＩの複数の前記操作ボタンのうち、録画ボタンが押下指示された場合にＯＳＤ画面表示される前記選択用案内画面に対して、更なるＧＵＩの操作ボタンの押下指示を選択して、更に、ＧＵＩの前記操作ボタンをＯＳＤ画面表示させて、前記操作ボタンのうち、一時停止ボタンを押下指示することにより、前記外部録画機器に対するＡＶ／Ｃコマンドとして、録画コマンドと一時停止コマンドとを連続して送信することができることを特徴とするデジタル放送受信装置。
【請求項３】
請求項１又は２に記載のデジタル放送受信装置において、ＧＵＩの複数の前記操作ボタンのうち、いずれかの操作ボタンが押下指示された場合にＯＳＤ画面表示される前記選択用案内画面として、更なるＧＵＩの操作ボタンの押下指示を選択する代わりに、先に押下指示された操作ボタンによる動作と組み合せた動作を前記外部録画機器に行なわしめることができる１乃至複数の複合動作の中からいずれかの複合動作を選択することにより、選択された前記複合動作に対応する複数のＡＶ／Ｃコマンドを組み合せて生成して前記外部録画機器に対して連続して送信することを選択することができることを特徴とするデジタル放送受信装置。
【請求項４】
請求項３に記載のデジタル放送受信装置において、前記外部録画機器を録画一時停止状態に移行させる場合、ＧＵＩの複数の前記操作ボタンのうち、録画ボタンが押下指示された場合にＯＳＤ画面表示される前記選択用案内画面の前記複合動作の中から、録画一時停止の複合動作を選択することにより、選択された前記複合動作に対応する複数のＡＶ／Ｃコマンドの組み合せとして、録画コマンドと一時停止コマンドとの組み合せを生成して、前記外部録画機器に対して連続して送信することができることを特徴とするデジタル放送受信装置。
【請求項５】
請求項１乃至４のいずれかに記載のデジタル放送受信装置において、ＧＵＩの複数の前記操作ボタンに関し、前記操作ボタンのいずれかを押下指示した際に前記外部録画機器に対して送信すべき対応する前記ＡＶ／Ｃコマンドとして、複数のＡＶ／Ｃコマンドの組み合せを生成することができる複合動作用の操作ボタンを備えていることを特徴とするデジタル放送受信装置。
【請求項６】
請求項５に記載のデジタル放送受信装置において、ＧＵＩの複合動作用の前記操作ボタンとして、前記外部録画機器を録画一時停止状態に移行させることを指示する録画一時停止ボタンを備え、該録画一時停止ボタンが押下指示された際に、前記ＡＶ／Ｃコマンドとして録画コマンドと一時停止コマンドとを連続して送信することができることを特徴とするデジタル放送受信装置。
【請求項７】
請求項３乃至６のいずれかに記載のデジタル放送受信装置において、押下指示された前記複合動作用の複数のＡＶ／Ｃコマンドの組み合せとして、前記外部録画機器に対して引き続く操作を指示するＡＶ／Ｃコマンドが連続する場合、後続するＡＶ／Ｃコマンドの送信に先立って、前記外部録画機器のステータスを読み取ることにより後続するＡＶ／Ｃコマンドの送信が可能な状態にあるかを確認するスタータス読み取り用ＡＶ／Ｃコマンドを介在させるようにＡＶ／Ｃコマンドを生成することを特徴とするデジタル放送受信装置。
【請求項８】
請求項１乃至７のいずれかに記載のデジタル放送受信装置において、ＧＵＩの前記操作ボタンを押下指示した際にユーザに対してＯＳＤ画面表示される前記選択用案内画面として、当該操作ボタンの押下指示をキャンセルする選択を行なうことが可能であることを特徴とするデジタル放送受信装置。
【請求項９】
請求項８に記載のデジタル放送受信装置において、ＧＵＩの前記操作ボタンとして前記外部録画機器に対して録画を指示する録画ボタンを押下指示した場合に、ユーザに対してＯＳＤ画面表示される前記選択用案内画面として、前記録画ボタンの押下操作をキャンセルする選択を行なうことが可能であることを特徴とするデジタル放送受信装置。
【請求項１０】
デジタルテレビ放送を受信するデジタル放送受信装置の録画再生制御方法であって、ＩＥＥＥ１３９４バスに接続した外部録画機器との間で、ＭＰＥＧ２ストリームをＩＥＥＥ１３９４規格準拠のデータパケットに変換して送受信すると共に、ＩＥＥＥ１３９４規格準拠のＡＶ／Ｃコマンド（Ａｕｄｉｏ／Ｖｉｄｅｏ    Ｃｏｎｔｒｏｌ  Ｃｏｍｍａｎｄ    Ｔｒａｎｓａｃｔｉｏｎ  Ｓｅｔ）によって前記外部録画機器をコントロールして録画再生動作を実行することができるデジタル放送受信装置の録画再生制御方法において、前記外部録画機器をコントロールするために、ＯＳＤ（Ｏｎ−Ｓｃｒｅｅｎ    Ｄｉｓｐｌａｙ）画面表示してユーザに対して提示するＧＵＩ（Ｇｒａｐｈｉｃａｌ    Ｕｓｅｒ    Ｉｎｔｅｒｆａｃｅ）の複数の操作ボタンと、該操作ボタンのいずれかを押下指示した際に、前記外部録画機器に対して、押下指示された操作ボタンに対応する前記ＡＶ／Ｃコマンドを直ちには送信せずに、ユーザの確認、あるいは、更なるＧＵＩの操作ボタンの押下指示のいずれかを選択することをユーザに対して要求するＧＵＩの選択用案内画面をＯＳＤ画面表示することができることを特徴とするデジタル放送受信装置の録画再生制御方法。
【請求項１１】
請求項１０に記載のデジタル放送受信装置の録画再生制御方法において、ＧＵＩの複数の前記操作ボタンのうち、いずれかの操作ボタンが押下指示された場合にＯＳＤ画面表示される前記選択用案内画面として、更なるＧＵＩの操作ボタンの押下指示を選択する代わりに、先に押下指示された操作ボタンによる動作と組み合せた動作を前記外部録画機器に行なわしめることができる１乃至複数の複合動作の中からいずれかの複合動作を選択することにより、選択された前記複合動作に対応する複数のＡＶ／Ｃコマンドを組み合せて生成して前記外部録画機器に対して連続して送信することを選択することができることを特徴とするデジタル放送受信装置の録画再生制御方法。
【請求項１２】
請求項１０又は１１に記載のデジタル放送受信装置の録画再生制御方法において、ＧＵＩの複数の前記操作ボタンに関し、前記操作ボタンのいずれかを押下指示した際に、前記外部録画機器に対して送信すべき対応する前記ＡＶ／Ｃコマンドとして複数のＡＶ／Ｃコマンドの組み合せを生成することができる複合動作用の操作ボタンを備えていることを特徴とするデジタル放送受信装置の録画再生制御方法。
【請求項１３】
請求項１１又は１２に記載のデジタル放送受信装置の録画再生制御方法において、押下指示された前記複合動作用の複数のＡＶ／Ｃコマンドの組み合せとして、前記外部録画機器に対して引き続く操作を指示するＡＶ／Ｃコマンドが連続する場合、後続するＡＶ／Ｃコマンドの送信に先立って、前記外部録画機器のステータスを読み取ることにより後続するＡＶ／Ｃコマンドの送信が可能な状態にあるかを確認するステータス読み取り用ＡＶ／Ｃコマンドを介在させるようにＡＶ／Ｃコマンドを生成することを特徴とするデジタル放送受信装置の録画再生制御方法。
【請求項１４】
請求項１０乃至１３のいずれかに記載のデジタル放送受信装置の録画再生制御方法において、ＧＵＩの前記操作ボタンを押下指示した際にユーザに対してＯＳＤ画面表示される前記選択用案内画面として、当該操作ボタンの押下指示をキャンセルする選択を行なうことが可能であることを特徴とするデジタル放送受信装置の録画再生制御方法。
【発明の詳細な説明】
【０００１】
【発明の属する技術分野】
本発明は、デジタル放送受信装置及びデジタル放送受信装置の録画再生制御方法に関し、特に、ＩＥＥＥ１３９４バスに接続されたＩＥＥＥ１３９４規格準拠の外部録画機器を、ＯＳＤ（Ｏｎ−Ｓｃｒｅｅｎ    Ｄｉｓｐｌａｙ）画面表示させたＧＵＩの操作画面を用いて制御することができるデジタル放送受信装置及びデジタル放送受信装置の録画再生制御方法に関する。本発明に係るデジタル放送受信装置は、例えば、デジタルテレビ放送を受信するチューナ、該チューナを内蔵したテレビジョン受信機やビデオレコーダに好適に適用することができ、リモコンあるいはデジタル放送受信装置本体の操作ボタンを用いたユーザの操作によってテレビ画面上にＯＳＤ画面表示させ、ユーザにより外部録画機器を容易に操作可能とする。
【０００２】
【従来の技術】
ＩＥＥＥ１３９４規格は、複数のＡＶ機器相互間で、デジタルビデオデータなどの大容量のデジタルデータをリアルタイムに伝送することができるように定められた仕様である。近年、ＩＥＥＥ１３９４規格に準拠したデジタルＶＴＲ等のデジタルＡＶ機器を相互にＩＥＥＥ１３９４バスを介して接続し、映像や音声のデジタルデータを送受信して、記録再生する映像ネットワークシステムが登場している。
かくのごとき映像ネットワークシステムにおいては、ＩＥＥＥ１３９４規格準拠の所定のコマンド（Ａｕｄｉｏ／Ｖｉｄｅｏ  Ｃｏｎｔｒｏｌ  Ｃｏｍｍａｎｄ  Ｔｒａｎｓａｃｔｉｏｎ  Ｓｅｔ：以下、ＡＶ／Ｃコマンドと称する）を用いることにより、該映像ネットワークシステムに接続されているデジタルＡＶ機器を制御することが可能である。
【０００３】
更に、ＩＥＥＥ１３９４規格準拠のＩＥＥＥ１３９４バスを備えたデジタル放送受信装置においては、ＩＥＥＥ１３９４バス上にＩＥＥＥ１３９４規格準拠の複数のデジタル録画機器を接続し、デジタル放送受信装置側で動作するソフトウェアの制御によって、ＩＥＥＥ１３９４バスに接続されたデジタル録画機器に対してＡＶ／Ｃコマンドを発行して、デジタル録画機器の動作をコントロールすることができる。
【０００４】
かかるＡＶ／Ｃコマンドを用いてＩＥＥＥバス上のデジタル録画機器を制御する場合、一般には、デジタル放送受信装置上で動作する制御ソフトウェアが、ＯＳＤ画面表示機能を用いて、テレビ画面にテレビ映像と重畳させて、ＧＵＩ（Ｇｒａｐｈｉｃａｌ    Ｕｓｅｒ    Ｉｎｔｅｒｆａｃｅ）操作画面を表示し、ユーザが、表示されたＧＵＩ操作画面に基づいてリモコンあるいはデジタル放送受信装置本体の操作ボタンを操作することによって、ＡＶ／Ｃコマンドを送信してデジタル録画機器に対する制御が実行される。
【０００５】
ＩＥＥＥ１３９４ネットワーク上でデジタル放送受信装置とデジタル録画機器とが連携して録画動作を行なうことに関する従来技術としては、例えば、特許文献１に示す特開平１０−２１００５８号公報「電子機器及びその制御方法」に記載の技術がある。該特許文献１に記載の技術は、ＩＥＥＥ１３９４バスによって相互に接続された例えば受信機と録画機器とにおいて、受信機側に複数のＡＶ／Ｃコマンドを組み合せたマクロコマンドを予め用意しておき、録画機器側からの受信機に対する要求に応じて、予め用意されているいずれかのマクロコマンドを選択して、該マクロコマンドの複数のＡＶ／Ｃコマンド順次実行するという技術に関するものである。而して、例えば、録画した放送番組の頭出しを行なう場合に備えて、録画機器側に対して、録画テープを所定の位置まで巻き戻させるＡＶ／Ｃコマンドと巻き戻した位置から再生動作を行なうＡＶ／Ｃコマンドとを組み合せてマクロコマンドとして用意しておき、頭出しの要求に応じて、直ちに、該マクロコマンドを実行可能としている。
【０００６】
【特許文献１】
特開平１０−２１００５８号公報（第４−５頁）
【０００７】
【発明が解決しようとする課題】
デジタル放送受信装置にＩＥＥＥ１３９４バスを介して接続されている外部録画機器をコントロールするために、該デジタル放送受信装置がＯＳＤ画面表示してユーザに提示するＧＵＩとしては、汎用的な録画機器に備えられているリモコンのメタファ（即ち、隠喩）となる仮想リモコンが一般に用いられている。画面表示された仮想リモコンを用いて、ユーザはデジタル放送受信装置のＧＵＩの操作画面を操作して、接続されている外部録画機器に対して、「再生」、「停止」、「一時停止」、「早送り」、「巻戻し」などの動作を指示することができる。
【０００８】
しかしながら、デジタル放送受信装置は、外部録画機器の制御以外にも豊富な機能を有しており、外部録画機器に対してコントロールを行なうための録画再生制御機能も、豊富な機能の中の一つとして実現されている。従って、外部録画機器を制御する仮想リモコンとしても、汎用的な録画機器に対する仮想リモコンとして表示されることとなり、ＯＳＤ画面に表示されるＧＵＩの仮想リモコンに対して、実際に接続されている外部録画機器のコントロールを行なうための専用の操作ボタンを有していることを期待することはできない。
【０００９】
また、デジタル放送受信装置がユーザに提示するＧＵＩの仮想リモコンとしては、汎用的な録画再生用の複数の操作ボタンの中からいずれかを選択するために、ＧＵＩ画面上の汎用的な選択動作を行なうカーソルを上下左右に移動指示するカーソルキーと、選択したカーソル位置の操作を指示する「決定」ボタンとの組み合せにより実現し、カーソルキーを用いて外部録画機器を操作するための操作ボタンを選択指示し（以下、「フォーカス」と称する）、「決定」ボタンを用いて外部録画機器に対する実際の操作の実行を指示するという方法が採られている。
【００１０】
しかし、カーソルキーによりフォーカスした操作ボタンを「決定」ボタンにより決定して実行させるというＧＵＩは、次のような問題点がある。
（１）操作対象の操作ボタンを直接押下操作しているわけではないので、誤操作が発生し易い。
（２）フォーカスされている操作ボタンは１回について一つの操作ボタンのみに限られるため、複数の操作ボタンを同時に押下する操作を行なうことができない
【００１１】
例えば、デジタル放送受信装置に接続される外部録画機器の実際のリモコンにおいては、録画済みの録画テープを誤って上書きしてしまわないように、「録画」と「再生」との二つの操作ボタンを同時に押下しない限り、録画を実行できないような操作方法が採られていることもある。にも関わらず、前述したようなＧＵＩにより表示させる仮想リモコンにおいては、かかる複数の操作ボタンを同時に操作指示することはできない。
【００１２】
また、外部録画機器を停止状態から録画一時停止状態にコントロールするためには、外部録画機器に備えられた実際のリモコンを操作する場合であれば、「録画」ボタンと「一時停止」ボタンとを同時にあるいは続けて押下操作する方法が一般的に用いられているが、かかる複合操作を指示することも、前述したようなＧＵＩの仮想リモコンにおいては難しい。
【００１３】
また、前述した特許文献１に記載の従来技術においても、かくのごときＧＵＩに関する問題を解決するための技術を何ら備えていなく、デジタル放送受信装置から実際の外部録画機器の動作を制御することは困難である。
【００１４】
本発明は、かかる課題を解決するためになされたものであり、ＩＥＥＥ１３９４バスに接続されたＩＥＥＥ１３９４規格準拠の外部録画機器をコントロールするために、デジタル放送受信装置がユーザに対してＯＳＤ表示画面として提示するＧＵＩの仮想リモコン上の各操作ボタンについて、或る操作ボタンを選択して、該操作ボタンを決定する操作をした際に、
（１）該操作ボタンに対応するＡＶ／Ｃコマンドを外部録画機器に対して直ちには送信せずに、更に別のＧＵＩの選択用案内画面を表示することによって、ユーザに確認を求める、あるいは、ユーザの更なる操作指示を求める、あるいは、一旦決定した操作ボタンの操作指示を取り消す、のうちのいずれかを選択すること
（２）一つの操作ボタンに対して、１対１ではなく、複数のＡＶ／Ｃコマンドを対応させた複合動作を選択して、選択された複数のＡＶ／Ｃコマンドを順次外部録画機器に対して送信すること
を可能にし、もって、外部録画機器をコントロールするデジタル放送受信装置のＧＵＩに関する操作性を向上させると共に、誤操作を未然に防止することを可能にすることを目的とする。
【００１５】
【課題を解決するための手段】
第１の技術手段は、デジタルテレビ放送を受信するデジタル放送受信装置であって、ＩＥＥＥ１３９４バスに接続した外部録画機器との間で、ＭＰＥＧ２ストリームをＩＥＥＥ１３９４規格準拠のデータパケットに変換して送受信すると共に、ＩＥＥＥ１３９４規格準拠のＡＶ／Ｃコマンド（Ａｕｄｉｏ／Ｖｉｄｅｏ    Ｃｏｎｔｒｏｌ  Ｃｏｍｍａｎｄ    Ｔｒａｎｓａｃｔｉｏｎ  Ｓｅｔ）によって前記外部録画機器をコントロールして録画再生動作を実行することができるデジタル放送受信装置において、前記外部録画機器をコントロールするために、ＯＳＤ（Ｏｎ−Ｓｃｒｅｅｎ    Ｄｉｓｐｌａｙ）画面表示してユーザに対して提示するＧＵＩ（Ｇｒａｐｈｉｃａｌ    Ｕｓｅｒ    Ｉｎｔｅｒｆａｃｅ）の複数の操作ボタンと、該操作ボタンのいずれかを選択して押下指示した際に、前記外部録画機器に対して、押下指示された操作ボタンに対応する前記ＡＶ／Ｃコマンドを直ちには送信せずに、ユーザの確認、あるいは、更なるＧＵＩの操作ボタンの押下指示のいずれかを選択することをユーザに対して要求するＧＵＩの選択用案内画面をＯＳＤ画面表示することができるデジタル放送受信装置とすることを特徴とするものである。
【００１６】
第２の技術手段は、前記第１の技術手段に記載のデジタル放送受信装置において、前記外部録画機器を録画一時停止状態に移行させる場合、ＧＵＩの複数の前記操作ボタンのうち、録画ボタンが押下指示された場合にＯＳＤ画面表示される前記選択用案内画面に対して、更なるＧＵＩの操作ボタンの押下指示を選択して、更に、ＧＵＩの前記操作ボタンをＯＳＤ画面表示させて、前記操作ボタンのうち、一時停止ボタンを押下指示することにより、前記外部録画機器に対するＡＶ／Ｃコマンドとして、録画コマンドと一時停止コマンドとを連続して送信することができるデジタル放送受信装置とすることを特徴とするものである。
【００１７】
第３の技術手段は、前記第１又は第２の技術手段に記載のデジタル放送受信装置において、ＧＵＩの複数の前記操作ボタンのうち、いずれかの操作ボタンが押下指示された場合にＯＳＤ画面表示される前記選択用案内画面として、更なるＧＵＩの操作ボタンの押下指示を選択する代わりに、先に押下指示された操作ボタンによる動作と組み合せた動作を前記外部録画機器に行なわしめることができる１乃至複数の複合動作の中からいずれかの複合動作を選択することにより、選択された前記複合動作に対応する複数のＡＶ／Ｃコマンドを組み合せて生成して前記外部録画機器に対して連続して送信することを選択することができるデジタル放送受信装置とすることを特徴とするものである。
【００１８】
第４の技術手段は、前記第３の技術手段に記載のデジタル放送受信装置において、前記外部録画機器を録画一時停止状態に移行させる場合、ＧＵＩの複数の前記操作ボタンのうち、録画ボタンが押下指示された場合にＯＳＤ画面表示される前記選択用案内画面の前記複合動作の中から、録画一時停止の複合動作を選択することにより、選択された前記複合動作に対応する複数のＡＶ／Ｃコマンドの組み合せとして、録画コマンドと一時停止コマンドとの組み合せを生成して、前記外部録画機器に対して連続して送信することができるデジタル放送受信装置とすることを特徴とするものである。
【００１９】
第５の技術手段は、前記第１乃至第４の技術手段のいずれかに記載のデジタル放送受信装置において、ＧＵＩの複数の前記操作ボタンに関し、前記操作ボタンのいずれかを押下指示した際に前記外部録画機器に対して送信すべき対応する前記ＡＶ／Ｃコマンドとして、複数のＡＶ／Ｃコマンドの組み合せを生成することができる複合動作用の操作ボタンを備えているデジタル放送受信装置とすることを特徴とするものである。
【００２０】
第６の技術手段は、前記第５の技術手段に記載のデジタル放送受信装置において、ＧＵＩの複合動作用の前記操作ボタンとして、前記外部録画機器を録画一時停止状態に移行させることを指示する録画一時停止ボタンを備え、該録画一時停止ボタンが押下指示された際に、前記ＡＶ／Ｃコマンドとして録画コマンドと一時停止コマンドとを連続して送信することができるデジタル放送受信装置とすることを特徴とするものである。
【００２１】
第７の技術手段は、前記第３乃至第６の技術手段のいずれかに記載のデジタル放送受信装置において、押下指示された前記複合動作用の複数のＡＶ／Ｃコマンドの組み合せとして、前記外部録画機器に対して引き続く操作を指示するＡＶ／Ｃコマンドが連続する場合、後続するＡＶ／Ｃコマンドの送信に先立って、前記外部録画機器のステータスを読み取ることにより後続するＡＶ／Ｃコマンドの送信が可能な状態にあるかを確認するスタータス読み取り用ＡＶ／Ｃコマンドを介在させるようにＡＶ／Ｃコマンドを生成するデジタル放送受信装置とすることを特徴とするものである。
【００２２】
第８の技術手段は、前記第１乃至第７の技術手段のいずれかに記載のデジタル放送受信装置において、ＧＵＩの前記操作ボタンを押下指示した際にユーザに対してＯＳＤ画面表示される前記選択用案内画面として、当該操作ボタンの押下指示をキャンセルする選択を行なうことが可能であるデジタル放送受信装置とすることを特徴とするものである。
【００２３】
第９の技術手段は、前記第８の技術手段に記載のデジタル放送受信装置において、ＧＵＩの前記操作ボタンとして前記外部録画機器に対して録画を指示する録画ボタンを押下指示した場合に、ユーザに対してＯＳＤ画面表示される前記選択用案内画面として、前記録画ボタンの押下操作をキャンセルする選択を行なうことが可能であるデジタル放送受信装置とすることを特徴とするものである。
【００２４】
第１０の技術手段は、デジタルテレビ放送を受信するデジタル放送受信装置の録画再生制御方法であって、ＩＥＥＥ１３９４バスに接続した外部録画機器との間で、ＭＰＥＧ２ストリームをＩＥＥＥ１３９４規格準拠のデータパケットに変換して送受信すると共に、ＩＥＥＥ１３９４規格準拠のＡＶ／Ｃコマンド（Ａｕｄｉｏ／Ｖｉｄｅｏ    Ｃｏｎｔｒｏｌ  Ｃｏｍｍａｎｄ    Ｔｒａｎｓａｃｔｉｏｎ  Ｓｅｔ）によって前記外部録画機器をコントロールして録画再生動作を実行することができるデジタル放送受信装置の録画再生制御方法において、前記外部録画機器をコントロールするために、ＯＳＤ（Ｏｎ−Ｓｃｒｅｅｎ    Ｄｉｓｐｌａｙ）画面表示してユーザに対して提示するＧＵＩ（Ｇｒａｐｈｉｃａｌ    Ｕｓｅｒ    Ｉｎｔｅｒｆａｃｅ）の複数の操作ボタンと、該操作ボタンのいずれかを押下指示した際に、前記外部録画機器に対して、押下指示された操作ボタンに対応する前記ＡＶ／Ｃコマンドを直ちには送信せずに、ユーザの確認、あるいは、更なるＧＵＩの操作ボタンの押下指示のいずれかを選択することをユーザに対して要求するＧＵＩの選択用案内画面をＯＳＤ画面表示することができるデジタル放送受信装置の録画再生制御方法とすることを特徴とするものである。
【００２５】
第１１の技術手段は、前記第１０の技術手段に記載のデジタル放送受信装置の録画再生制御方法において、ＧＵＩの複数の前記操作ボタンのうち、いずれかの操作ボタンが押下指示された場合にＯＳＤ画面表示される前記選択用案内画面として、更なるＧＵＩの操作ボタンの押下指示を選択する代わりに、先に押下指示された操作ボタンによる動作と組み合せた動作を前記外部録画機器に行なわしめることができる１乃至複数の複合動作の中からいずれかの複合動作を選択することにより、選択された前記複合動作に対応する複数のＡＶ／Ｃコマンドを組み合せて生成して前記外部録画機器に対して連続して送信することを選択することができるデジタル放送受信装置の録画再生制御方法とすることを特徴とするものである。
【００２６】
第１２の技術手段は、前記第１０乃至第１１の技術手段に記載のデジタル放送受信装置の録画再生制御方法において、ＧＵＩの複数の前記操作ボタンに関し、前記操作ボタンのいずれかを押下指示した際に、前記外部録画機器に対して送信すべき対応する前記ＡＶ／Ｃコマンドとして複数のＡＶ／Ｃコマンドの組み合せを生成することができる複合動作用の操作ボタンを備えているデジタル放送受信装置の録画再生制御方法とすることを特徴とするものである。
【００２７】
第１３の技術手段は、前記第１１又は第１２の技術手段に記載のデジタル放送受信装置の録画再生制御方法において、押下指示された前記複合動作用の複数のＡＶ／Ｃコマンドの組み合せとして、前記外部録画機器に対して引き続く操作を指示するＡＶ／Ｃコマンドが連続する場合、後続するＡＶ／Ｃコマンドの送信に先立って、前記外部録画機器のステータスを読み取ることにより後続するＡＶ／Ｃコマンドの送信が可能な状態にあるかを確認するステータス読み取り用ＡＶ／Ｃコマンドを介在させるようにＡＶ／Ｃコマンドを生成するデジタル放送受信装置の録画再生制御方法とすることを特徴とするものである。
【００２８】
第１４の技術手段は、前記第１０乃至第１３の技術手段のいずれかに記載のデジタル放送受信装置の録画再生制御方法において、ＧＵＩの前記操作ボタンを押下指示した際にユーザに対してＯＳＤ画面表示される前記選択用案内画面として、当該操作ボタンの押下指示をキャンセルする選択を行なうことが可能であるデジタル放送受信装置の録画再生制御方法とすることを特徴とするものである。
【００２９】
【発明の実施の形態】
以下、本発明に係るデジタル放送受信装置及びデジタル放送受信装置の録画再生制御方法に関する実施形態の一例について、図面を参照しながら説明する。
ここに、本発明に係るデジタル放送受信装置としては、デジタルテレビ放送を受信するチューナ、又は、該チューナを内蔵したテレビジョン受信機、ビデオレコーダなどに好適に適用することができるが、以下の実施例においては、デジタルテレビ放送を受信するチューナを内蔵したデジタルテレビ受信機に適用する場合について説明する。
【００３０】
また、デジタルテレビ受信機にＩＥＥＥ１３９４インタフェースを介して接続される複数の外部録画機器としては、ＤＶＤ機器、ＨＤＤレコーダ、デジタルビデオレコーダ（Ｄ−ＶＨＳ：Ｄａｔａ  Ｖｉｄｅｏ    Ｈｏｍｅ    Ｓｙｓｔｅｍ）、など如何なる録画機器であっても良く、また、かかる複数の外部録画機器が全て同一種類の録画機器であっても、異なる種類の録画機器であっても、如何なる組み合せの複数の録画機器であっても構わない。以下の実施例においては、説明を簡単にするために、１個のデジタルビデオレコーダが外部録画機器として接続されている場合を例として説明する。図１は、本発明に係るデジタル放送受信装置の一例としてデジタルテレビ受信機の構成例を示すブロック構成図である。
【００３１】
図１に示すデジタルテレビ受信機１００において、アンテナ１から受信された放送ストリーム（放送信号）の中からチューナ２により選局された放送ストリームが、デマルチプレクサ（ＤＥＭＵＸ）３に送られ、デマルチプレクサ（ＤＥＭＵＸ）３において、放送ストリームのうち、放送番組のデジタル信号形式の画像・音声情報パケットからなるビデオストリームが、ＭＰＥＧ（Ｍｏｖｉｎｇ  Ｐｉｃｔｕｒｅ    Ｅｘｐｅｒｔｓ  Ｇｒｏｕｐ）デコーダ４に送出される一方、放送番組に関する番組情報やＥＰＧ（電子番組表）の表示に必要な情報などが抽出されて、ＣＰＵ７を介して、メモリ（ＤＲＡＭ：Ｄｙｎａｍｉｃ    Ｒａｎｄｏｍ    Ａｃｃｅｓｓ    Ｍｅｍｏｒｙ）６に一時格納される。
【００３２】
また、ユーザにより、ユーザの操作手段であるリモコン１３上に設けられた各種の操作ボタン、あるいは、当該デジタルテレビ受信機１００の本体上に備えられた同種の操作ボタンが操作された際に、不揮発性メモリであるフラッシュメモリ５に格納されている制御プログラムの動作により、ＣＰＵ７は、リモコン１３の操作ボタンの押下操作を、受光部１２を介して、あるいは、本体上の同種の操作ボタンの押下操作を、直接読み取り、メモリ（ＤＲＡＭ）６に格納されている各種情報と相俟って、当該デジタルテレビ受信機１００の全体の動作を制御する。
【００３３】
例えば、ユーザの操作結果に基づいたＧＵＩ用の操作ボタン情報（即ち、ユーザに対して次の操作を案内するための選択操作用の案内情報）を、画面表示可能なビットマップデータ形式の表示情報に変換して画像メモリ（ＶＲＡＭ：Ｖｉｄｅｏ    Ｒａｎｄｏｍ    Ａｃｃｅｓｓ    Ｍｅｍｏｒｙ）８に蓄積することにより、ＯＳＤ（Ｏｎ−Ｓｃｒｅｅｎ    Ｄｉｓｐｌａｙ）表示装置９において、ＯＳＤ画像として、選局受信されたビデオストリームをＭＰＥＧデコード処理されたＭＰＥＧデコーダ４からの映像・音声情報に重畳させてモニタ１０に画面表示させたりすることが可能である。
【００３４】
また、図１に示すデジタルテレビ受信機１００には、更に、デマルチプレクサ（ＤＥＭＵＸ）３にＩＥＥＥ１３９４インタフェース１１のＩＥＥＥ１３９４バス１１ａを介して１乃至複数の外部録画機器２００（本実施例においては１個の外部録画機器２００）を接続することが可能であり、ＣＰＵ７からの制御信号により、ＩＥＥＥ１３９４インタフェース１１のＩＥＥＥ１３９４バス１１ａを介して、外部録画機器２００をコントールすることが可能である。
即ち、ＩＥＥＥ１３９４バス１１ａに接続した外部録画機器２００とデマルチプレクサ（ＤＥＭＵＸ）３との間で、ビデオストリーム即ちＭＰＥＧ２ストリームをＩＥＥＥ１３９４規格準拠のデータパケットに変換して送受信すると共に、ＣＰＵ７は、ＩＥＥＥ１３９４規格準拠のＡＶ／Ｃコマンド（Ａｕｄｉｏ／Ｖｉｄｅｏ    Ｃｏｎｔｒｏｌ  Ｃｏｍｍａｎｄ    Ｔｒａｎｓａｃｔｉｏｎ  Ｓｅｔ）によって外部録画機器２００をコントロールして録画再生動作を実行することができる。
【００３５】
例えば、接続されている外部録画機器２００に対して、ＩＥＥＥ１３９４インタフェース１１のＩＥＥＥ１３９４バス１１ａを介して、ＣＰＵ７は、ＩＥＥＥ１３９４規格準拠のＡＶ／Ｃコマンドを送信することにより、外部録画機器２００のステータス（電源の入／切状態や動作状態）を取得すること、逆に、外部録画機器２００の電源の入／切を制御したり、録画、再生、停止、一時停止等の動作を制御することが可能である。もって、デジタルテレビ受信機１００は、外部録画機器２００内の記録媒体にデマルチプレクサ（ＤＥＭＵＸ）３からのＭＰＥＧ２形式のビデオストリームを録画させたり、該記録媒体に録画されているビデオストリームを再生読み出しして、デマルチプレクサ（ＤＥＭＵＸ）３を介してモニタ１０に画面表示させたりすることが可能である。
【００３６】
また、本発明に係るデジタル放送受信装置の一実施例であるデジタルテレビ受信機１００は、外部録画機器２００の操作ボタンイメージを画像メモリ（ＶＲＡＭ）８に蓄積することにより、ＯＳＤ表示装置９にてＯＳＤ画像として生成されてモニタ１０上に画面表示されるＧＵＩ用の操作ボタン情報に対して、リモコン１３の操作ボタンあるいはデジタルテレビ受信機１００本体の同種の操作ボタンの押下操作により、ユーザが選択指示を与え、該選択指示に関して、ＣＰＵ７がフラッシュメモリ５に格納されている制御プログラムの動作により処理した結果を、更に次なるＧＵＩ用の操作ボタン情報として、モニタ１０上に表示することによって、ユーザに次なる操作に関する選択指示を行なわせることも可能としている。而して、ユーザの選択指示に応じて、モニタ１０に表示されるＧＵＩ用の操作ボタン情報（即ち、外部録画機器２００の操作を指示する操作ボタン）が変化していくので、ユーザは、デジタルテレビ受信機１００と対話しながら、適切な指示を与えることが可能となっている。
【００３７】
次に、ＯＳＤ画面表示してユーザに対して提示するＧＵＩの複数の操作ボタンと、該操作ボタンのいずれかを選択してを押下指示した際に、直ちに前記外部録画機器に対して対応する前記ＡＶ／Ｃコマンドを送信せずに、ユーザの確認、あるいは、更なる操作ボタンの押下指示のいずれかを選択することを要求する選択用案内画面をＯＳＤ画面表示する実施例として、ＩＥＥＥ１３９４インタフェース１１のＩＥＥＥ１３９４バス１１ａに接続されている外部録画機器２００を制御する場合について説明する。
【００３８】
図１に示すリモコン１３上に備えられている外部録画機器操作ボタン１３ｃを押下操作すると、図２に示すように、外部録画機器２００に対する操作を行なうことを可能とするＧＵＩの操作ボタン情報を視聴映像に重畳させてモニタ１０上にＯＳＤ画面表示する。ここに、図２は、外部録画機器２００を操作可能とするＧＵＩの操作ボタン情報をＯＳＤ画面表示した画面の一例を示す表示画面図である。
【００３９】
即ち、図２（Ａ）は、外部録画機器操作ボタン１３ｃの押下操作を行なう前に、モニタ１０に画面表示されている視聴映像１０ａの状態を示し、図２（Ｂ）は、外部録画機器操作ボタン１３ｃの押下操作により、モニタ１０に、視聴中の視聴映像１０ａに重畳させて、外部録画機器２００を操作可能なＧＵＩの操作ボタン情報（以下、仮想リモコンと称する）１０ｂをＯＳＤ画面表示している状態を示している。なお、図２（Ｂ）に示す仮想リモコン１０ｂのＯＳＤ画面表示状態において、更に外部録画機器操作ボタン１３ｃの押下操作を行なうと、仮想リモコン１０ｂのＯＳＤ画面表示状態が解除されて、図２（Ａ）の状態に復帰する。
【００４０】
また、仮想リモコン１０ｂに含まれる操作ボタン情報としては、操作の対象となっている外部録画機器２００に対して指示する操作のうち基本的な操作に対応した操作ボタンが表示されており、図２（Ｂ）に示す仮想リモコン１０ｂの例においては、２段表示された左上から電源ボタン１０ｂ１、停止ボタン１０ｂ２、再生ボタン１０ｂ３、一時停止ボタン１０ｂ４、録画ボタン１０ｂ５、逆頭出しボタン１０ｂ６、巻戻しボタン１０ｂ７、早送りボタン１０ｂ８、順頭出しボタン１０ｂ９の順序に各操作ボタンが配列されてＯＳＤ画面表示されている。
【００４１】
仮想リモコン１０ｂとしてＯＳＤ画面表示されるかくのごとき操作ボタンは、図１に示すリモコン１３上に備えられているカーソルキー１３ａと決定ボタン１３ｂとを押下操作することにより、押下指示する（即ち、操作する）ことができる。図３は、カーソルキー１３ａと決定ボタン１３ｂとの押下操作により仮想リモコン１０ｂ上の操作ボタンを選択して押下指示する（即ち、操作する）動作の一例を示す表示画面図である。
【００４２】
即ち、図３の表示画面図において、破線表示により示しているように、仮想リモコン１０ｂの操作ボタンのうち操作対象として選択されている状態にあることを示す「フォーカス１０ｃ」が仮想リモコン１０ｂ上に表示されている。フォーカス１０ｃの位置をカーソルキー１３ａの上下左右移動キーの押下操作により上下左右に移動させることにより、仮想リモコン１０ｂの操作ボタンのうち操作対象とする操作ボタン上まで移動させて、操作対象の該操作ボタンを選択した状態で決定ボタン１３ｂの押下操作を行なうことによってフォーカス１０ｃが当たっている該操作ボタンが押下指示されたこととなる。
【００４３】
例えば、図３（Ａ）に示すように、停止ボタン１０ｂ２の位置にフォーカス１０ｃが位置している状態において、カーソルキー１３ａの右移動キーを１回押下操作すると、図３（Ｂ）に示すように、フォーカス１０ｃが停止ボタン１０ｂ２の位置から１つ右側に位置する再生ボタン１０ｂ３の位置へと１つ右に移動している。ここで、決定ボタン１３ｂを押下操作すると、その時点でフォーカス１０ｃが位置してフォーカスが当たっている再生ボタン１０ｂ３の押下指示として、外部録画機器２００の再生動作が実行される。
【００４４】
ここで、電源ボタン１０ｂ１、停止ボタン１０ｂ２、再生ボタン１０ｂ３、一時停止ボタン１０ｂ４、録画ボタン１０ｂ５、逆頭出しボタン１０ｂ６、巻戻しボタン１０ｂ７、早送りボタン１０ｂ８、順頭出しボタン１０ｂ９のいずれかの操作ボタンが、カーソルキー１３ａによりフォーカスされて、決定ボタン１３ｂが押下指示されると、フォーカス１０ｃが位置している操作ボタンに応じて、直ちに、フォーカスされた操作ボタンに関するＡＶ／ＣコマンドをＩＥＥＥ１３９４インタフェース１１のＩＥＥＥ１３９４バス１１ａに対して送信して、該当する外部録画機器２００をコントロールすることとしても良いし、あるいは、操作ボタンの種類に応じて、該当する外部録画機器２００に対して、直ちにＡＶ／Ｃコマンドを送信する代わりに、ユーザに対して、ユーザの確認、あるいは、更なる操作ボタンの押下指示のいずれかを選択することを要求するＧＵＩの選択用案内画面をＯＳＤ画面表示することも可能である。
【００４５】
例えば、録画ボタン１０ｂ５を除く電源ボタン１０ｂ１、停止ボタン１０ｂ２、再生ボタン１０ｂ３、一時停止ボタン１０ｂ４、逆頭出しボタン１０ｂ６、巻戻しボタン１０ｂ７、早送りボタン１０ｂ８、順頭出しボタン１０ｂ９のいずれかの操作ボタンが、フォーカスされて決定ボタン１３ｂの押下操作がなされた場合には、直ちに、フォーカスされた操作ボタンに関するＡＶ／Ｃコマンドを送信して、該当する外部録画機器２００をコントロールすることとし、一方、録画ボタン１０ｂ５がフォーカスされて決定ボタン１３ｂの押下操作がなされた場合には、図４（Ｂ）に示すように、録画動作を開始するか否かをユーザに確認するためのＧＵＩの選択用案内画面１０ｄを更にＯＳＤ画面表示する。
【００４６】
ここに、図４は、ユーザの確認あるいは更なる操作ボタンの押下指示あるいは操作ボタンの先の押下指示の取り消しのいずれかを選択することを要求するＧＵＩの選択用案内画面１０ｄをＯＳＤ画面表示した一例を示す表示画面図であり、図４（Ａ）は、仮想リモコン１０ｂにおいて録画ボタン１０ｂ５がフォーカスされている状態の画面の表示例を示し、図４（Ｂ）は、録画ボタン１０ｂ５がフォーカスされている状態において決定ボタン１３ｂが押下操作された際に、録画動作を開始するか否かをユーザに確認するためのＧＵＩの選択用案内画面１０ｄを更に画面に表示している表示例を示している。ここで、ユーザによりＧＵＩの選択用案内画面１０ｄの「はい」がフォーカスされて決定ボタン１３ｂの押下操作がなされた場合には、録画動作を実行するために、録画ボタン１０ｂ５に関するＡＶ／Ｃコマンドを送信して、該当する外部録画機器２００に録画動作を指示する。
【００４７】
一方、ＧＵＩの選択用案内画面１０ｄの「いいえ」がフォーカスされて決定ボタン１３ｂの押下操作がなされた場合には、録画ボタン１０ｂ５に関するＡＶ／Ｃコマンドを送信する代わりに、先に録画ボタン１０ｂ５が選択されていたという情報をメモリ（ＤＲＡＭ）６に一旦保存すると共に、再度、外部録画機器２００を操作するＧＵＩの操作ボタン情報を示す仮想リモコン１０ｂをＯＳＤ画面表示する。再度画面表示された仮想リモコン１０ｂにおいて、例えば外部録画機器２００を一時停止状態から録画一時停止状態に移行させるために、ユーザにより、例えば一時停止ボタン１０ｂ４にフォーカスされて決定ボタン１３ｂが押下操作された場合には、メモリ（ＤＲＡＭ）６に一旦保存されていた先の押下指示の録画ボタン１０ｂ５に関する情報が読み出されて、録画ボタン１０ｂ５に関するＡＶ／Ｃコマンドを先行して外部録画機器２００に送信すると共に、引き続いて、一時停止ボタン１０ｂ４に関するＡＶ／Ｃコマンドも外部録画機器２００に連続送信することになる。
【００４８】
もって、録画ボタン１０ｂ５に関するＡＶ／Ｃコマンドと一時停止ボタン１０ｂ４に関するＡＶ／Ｃコマンドとを連続受信した外部録画機器２００は、「録画一時停止状態」への移行を実行する。
なお、一時停止ボタン１０ｂ４にフォーカスされて決定ボタン１３ｂが押下操作された場合にも、録画一時停止動作を開始するか否かをユーザに確認するためのＧＵＩの選択用案内画面１０ｄをＯＳＤ画面表示しても良い。かかる場合においては、図４（Ｂ）に示す「録画を実行しますか」とのダイアログ表示に代わって、録画ボタン１０ｂ５と一時停止ボタン１０ｂ４との連続押下指示結果である録画一時停止状態の実行を確認するために、「録画一時停止を実行しますか」とのダイアログ表示が表示される。
【００４９】
かかる場合、再表示されたＧＵＩの選択用案内画面１０ｄにおいて、「はい」がフォーカスされて決定ボタン１３ｂの押下操作がなされた場合には、録画一時停止動作を実行するために、録画ボタン１０ｂ５と一時停止ボタン１０ｂ４とに関するＡＶ／Ｃコマンドを連続送信するが、「いいえ」がフォーカスされて決定ボタン１３ｂの押下操作がなされた場合には、該一時停止ボタン１０ｂ４の押下操作情報も先の録画ボタン１０ｂ５の押下操作情報と共にメモリ（ＤＲＡＭ）６に一旦保存すると共に、更に、再度外部録画機器２００を操作するＧＵＩの操作ボタン情報を示す仮想リモコン１０ｂをＯＳＤ画面表示する。
【００５０】
また、ユーザの確認あるいは更なる操作ボタンの押下指示のいずれかを選択することを要求するＧＵＩの選択用案内画面１０ｄには、図４（Ｂ）に示すように、フォーカスされて決定ボタン１３ｂが押下操作されて、先に押下指示されていた操作ボタン（例えば、先の例においては、録画ボタン１０ｂ５や一時停止ボタン１０ｂ４）の取り消しを指示する「キャンセル」ボタンを合わせて表示することも可能であり、前述したごとく、「はい」や「いいえ」を選択する代わりに、「キャンセル」ボタンにフォーカスして決定ボタン１３ｂを押下操作することにより、先に指定していた操作ボタンの押下指示をキャンセルすることも可能である。
【００５１】
以上のごとく、仮想リモコン１０ｂにおいて押下指示された操作ボタンに対して即座にＡＶ／Ｃコマンドを送信するのではなく、ユーザに対して更なる操作や確認を求めることによって、録画一時停止の操作のように、複合した動作指示を行なうことも可能であるし、一旦押下指示をした操作ボタンをキャンセルすることも可能であり、誤操作を未然に防止することができる。
【００５２】
外部録画機器２００を操作可能なＧＵＩの操作ボタン情報をＯＳＤ画面表示する仮想リモコン１０ｂに関する更に異なる例について、次に説明する。
本実施例における仮想リモコンは、図５に示すように、図２（Ｂ）に示した仮想リモコン１０ｂに対して更に「録画＋一時停止」という操作ボタンを追加して設けている。ここに、図５は、仮想リモコン即ち外部録画機器２００を操作可能とするＧＵＩの操作ボタン情報をＯＳＤ画面表示した画面の図２とは異なる例を示す表示画面図であり、仮想リモコン１０ｂ′上の操作ボタンに対する１回のみのフォーカス及び決定操作により、複数の操作を組み合せた複合動作を実現することができる例として、例えば「録画＋一時停止」という複合操作ボタン（録画一時停止ボタン１０ｂ１０）を備えている場合を示しているものである。
【００５３】
ここに、仮想リモコン１０ｂ′上に追加して備えられる複合操作ボタン（例えば録画一時停止ボタン１０ｂ１０）により指定されるコマンドは、ＩＥＥＥ１３９４規格準拠のＡＶ／Ｃコマンドとしては規定されていないものである。即ち、仮想リモコン１０ｂ′上のＧＵＩの録画一時停止ボタン１０ｂ１０という複合操作ボタンをカーソルキー１３ａによりフォーカス１０ｃを当てて決定ボタン１３ｂの押下操作をして、仮想リモコン１０ｂ′上の録画一時停止ボタン１０ｂ１０の押下指示をした際には、録画一時停止ボタン１０ｂ１０の操作に対応する単一のＡＶ／Ｃコマンドは存在しない。
【００５４】
而して、仮想リモコン１０ｂ′上の録画一時停止ボタン１０ｂ１０のごとき複合操作ボタンの操作がなされた場合には、該当する外部録画機器２００に対してＩＥＥＥ１３９４インタフェース１１のＩＥＥＥ１３９４バス１１ａを介して送信すべきＡＶ／Ｃコマンドとして、ＩＥＥＥ１３９４規格に準拠した複数のＡＶ／Ｃコマンドの組み合せ（例えば、録画一時停止ボタン１０ｂ１０の場合は、録画の設定指示と一時停止の設定指示との、２つのＡＶ／Ｃコマンドの組み合せ）に分解する処理が行なわれる。
なお、分解された複数のＡＶ／Ｃコマンドにより外部録画機器２００に対して引き続く操作が連続して行なわれる際には、後続するＡＶ／Ｃコマンドの送信に先立って、外部録画機器２００のステータスを読み取るＡＶ／Ｃコマンドを送信して後続するＡＶ／Ｃコマンドの送信が可能な状態にあるかを確認する処理が行なわれる。即ち、複数のＡＶ／Ｃコマンドを連続して送信する場合、外部録画機器２００のステータスをＡＶ／Ｃコマンドにより読み取って確認動作を行ないつつ、順次必要とするＡＶ／Ｃコマンドを送信していく動作が行なわれる。
【００５５】
かかるＩＥＥＥ１３９４規格準拠の複数のＡＶ／Ｃコマンドの組み合せにより、ユーザは１回の操作指示を行なうのみで操作対象の外部録画機器１００に対する所望の操作を行なうことが可能となる。
一方、前述した図２乃至図４に示す実施例においては、例えば外部録画機器２００を録画一時停止状態に設定したい場合、仮想リモコン１０ｂの録画ボタン１０ｂ５の操作を指示した後、ユーザの確認あるいは更なる操作ボタンの押下指示のいずれかを選択することを要求するＧＵＩの選択用案内画面１０ｄをＯＳＤ画面表示し、ここで、「いいえ」を選択して、再度、ＯＳＤ画面表示された仮想リモコン１０ｂ上で一時停止ボタン１０ｂ４の押下指示を行なうこととなる。
【００５６】
更に、従来のＩＥＥＥ１３９４規格準拠のデジタル放送受信機の場合には、ユーザは、ＩＥＥＥ１３９４準拠の録画コマンドをまず送信指示した後、外部録画機器の状態が録画状態に移行したことを確認してから、更にＩＥＥＥ１３９４準拠の次なる一時停止コマンドを送信指示して、外部録画機器の状態を録画一時停止状態に設定するという複数の操作手順を経て初めて外部録画機器の状態を所望の状態へと変化させている。
しかしながら、外部録画機器の状態を一旦録画状態に設定してから、次の所望する録画一時停止状態に移行するまでの間即ち次に送信されてくる一時停止コマンドを受信して設定動作を完了するまでの間、タイムラグが生じてしまい、該タイムラグの間は、録画だけが指示された状態がしばらくの間続いてしまうことになる。
【００５７】
図５に示す本実施例においては、録画一時停止ボタン１０ｂ１０のように、複合操作ボタンの１回の押下指示に対して、ＩＥＥＥ１３９４インタフェース１１のＩＥＥＥ１３９４バス１１ａを介して外部録画機器２００に対して単一のＡＶ／Ｃコマンドのみを送信するのではなく、ＩＥＥＥ１３９４規格準拠の複数のＡＶ／Ｃコマンドの組み合せに分解すると共に、外部録画機器２００のステータスを読み取るためのＡＶ／Ｃコマンドを送信して該外部録画機器２００の状態を確認しながら、複数のＡＶ／Ｃコマンドを順次送信することを可能としており、仮想リモコン１０ｂ′上の録画一時停止ボタン１０ｂ１０のごとき複合操作ボタンの操作上においては、あたかも一つの機能に関するボタン操作であるかのように扱うことを可能とし、もって、ユーザの操作性を容易化している。
【００５８】
従って、前述のように、ＧＵＩの操作ボタン情報を表示する仮想リモコン１０ｂ′の録画一時停止ボタン１０ｂ１０のみの操作を行ないさえすれば、録画の設定指示と外部録画機器のステータス読み取り指示と一時停止の設定指示との、３つのＡＶ／Ｃコマンドを分解生成して、順次外部録画機器２００に対して連続送信することにより、録画状態に設定された後にタイムラグが殆ど生ずることなく、直ちに、外部録画機器２００の状態を所望の録画一時停止状態に設定することができる。
【００５９】
外部録画機器２００を操作可能なＧＵＩの操作ボタン情報をＯＳＤ画面表示する仮想リモコン１０ｂに関する更に異なる例について、次に説明する。
本実施例は、図６に示すように、ＧＵＩの選択用案内画面として、前述した図２乃至図５に示す各実施例の動作を組み合せた動作を示すものであり、例えば、仮想リモコン１０ｂの録画ボタン１０ｂ５をカーソルキー１３ａによりフォーカスして決定ボタン１３ｂの押下操作をした場合に、図４に示したような録画動作を開始するか否かをユーザに確認するためのＧＵＩの選択用案内画面１０ｄをＯＳＤ画面表示する代わりに、録画ボタン１０ｂ５との組み合わせによる動作を行なう可能性がある１乃至複数の複合動作も含むいずれかを選択するＧＵＩの選択用案内画面１０ｄ′を更にＯＳＤ画面表示する例を示している。
【００６０】
ここに、図６は、ユーザの確認あるいは複合動作も含む複数の動作のいずれかを選択することを要求するＧＵＩの選択用案内画面１０ｄ′をＯＳＤ画面表示した一例を示す表示画面図であり、図６（Ａ）は、図４（Ａ）と同様に、仮想リモコン１０ｂにおいて録画ボタン１０ｂ５がフォーカスされて選択されている状態の画面の表示例を示し、図６（Ｂ）は、録画ボタン１０ｂ５がフォーカスされて選択されている状態において決定ボタン１３ｂが押下操作された際に、録画動作の開始以外に、録画ボタン１０ｂ５との組み合わせによる動作の一つである録画一時停止に移行するか、あるいは、録画ボタン１０ｂ５の操作をキャンセルするか否かをユーザに確認するためのＧＵＩの選択用案内画面１０ｄ′を更にＯＳＤ画面表示している表示例を示している。
【００６１】
ここで、ユーザによりＧＵＩの選択用案内画面１０ｄ′の「録画開始」がフォーカスされて決定ボタン１３ｂの押下操作がなされた場合には、録画動作を実行するために、録画ボタン１０ｂ５のみに関する録画指示用のＡＶ／Ｃコマンドを送信して、外部録画機器２００に録画動作を指示する。
また、ユーザによりＧＵＩの選択用案内画面１０ｄ′の「キャンセル」がフォーカスされて決定ボタン１３ｂの押下操作がなされた場合には、先に押下指示されていた録画ボタン１０ｂ５の操作をキャンセルする。
【００６２】
更に、ユーザによりＧＵＩの選択用案内画面１０ｄ′の「録画一時停止」がフォーカスされて決定ボタン１３ｂの押下操作がなされた場合には、図５に示した仮想リモコン１０ｂ′上に設けられている録画一時停止ボタン１０ｂ１０が操作された場合と全く同様に、送信するＡＶ／Ｃコマンドとして、録画の設定指示と外部録画機器のステータス読み取り指示と一時停止の設定指示との、３つのＡＶ／Ｃコマンドを分解生成して、順次外部録画機器２００に対して連続送信することにより、録画一時停止状態への移行を指示する。
【００６３】
なお、図６に示したＧＵＩの選択用案内画面１０ｄ′の例においては、録画ボタンに関連する複合動作として最も使用頻度が高い動作の例として、録画一時停止ボタンのみを表示している例を示したが、本発明に係るデジタル放送受信装置においては、かかる場合のみに限るものではなく、例えば、録画しながら追っかけ再生も同時に行なうような録画再生動作を指示する操作ボタンを追加して設けても良いし、更に最も使用頻度が高いと想定される複合動作を指示する操作ボタンを１個のみ追加する場合に限ることなく、任意の数の複数の複合動作用の操作ボタンを同一選択用案内画面１０ｄ′に表示するようにしても構わない。
【００６４】
【発明の効果】
本発明に係るデジタル放送受信装置及びデジタル放送受信装置の録画再生制御方法によれば、ＩＥＥＥ１３９４バスに接続された外部録画機器に対して録画再生に関わる操作指示を行なうために用意されているＩＥＥＥ規格準拠のＡＶ／Ｃコマンドのいずれか所望のＡＶ／Ｃコマンドを、リモコン又はデジタル放送受信装置本体の同等のボタンにより選択指示するためのＧＵＩの操作ボタン情報を仮想リモコンとしてＯＳＤ画面表示し、該仮想リモコンのいずれかの操作ボタンの押下指示がなされた際に、押下指示された操作ボタンに応じて、該操作ボタンに対応するＡＶ／Ｃコマンドを直ちに外部録画装置に送信する代わりに、ユーザに対して、ＡＶ／Ｃコマンドの送信確認、あるいは、更なる操作ボタンの押下指示の選択、あるいは、先に選択された操作ボタンの押下指示のキャンセルのいずれかを選択するＧＵＩの選択用案内画面をＯＳＤ画面表示することにより、ＩＥＥＥ１３９４規格準拠の複数のＡＶ／Ｃコマンドの組み合せによる複合動作を行なうことを可能とすると共に、押下指示のキャンセルを行なうことにより誤操作を未然に防止することが可能となり、特に、外部録画機器に録画を指示する際の操作性を向上させると共に、誤操作を防止することが容易に可能となる。
【図面の簡単な説明】
【図１】本発明に係るデジタル放送受信装置の一例としてデジタルテレビ受信機の構成例を示すブロック構成図である。
【図２】外部録画機器を操作可能とするＧＵＩの操作ボタン情報をＯＳＤ画面表示した画面の一例を示す表示画面図である。
【図３】カーソルキーと決定ボタンとの押下操作により仮想リモコンの操作ボタンを選択して操作する動作の一例を示す表示画面図である。
【図４】ユーザの確認あるいは更なる操作ボタンの押下のいずれかを選択することを要求するＧＵＩの選択用案内画面をＯＳＤ画面表示した一例を示す表示画面図である。
【図５】外部録画機器を操作可能とするＧＵＩの操作ボタン情報をＯＳＤ画面表示した画面の異なる例を示す表示画面図である。
【図６】ユーザの確認あるいは複合動作も含む複数の動作のいずれかを選択することを要求するＧＵＩの選択用案内画面をＯＳＤ画面表示した一例を示す表示画面図である。
【符号の説明】
１…アンテナ、２…チューナ、３…デマルチプレクサ（ＤＥＭＵＸ）、４…ＭＰＥＧデコーダ、５…フラッシュメモリ、６…メモリ（ＤＲＡＭ）、７…ＣＰＵ、８…画像メモリ（ＶＲＡＭ）、９…ＯＳＤ表示装置、１０…モニタ、１０ａ…視聴映像、１０ｂ，１０ｂ′…ＧＵＩ操作ボタン情報（仮想リモコン）、１０ｂ１…電源ボタン、１０ｂ２…停止ボタン、１０ｂ３…再生ボタン、１０ｂ４…一時停止ボタン、１０ｂ５…録画ボタン、１０ｂ６…逆頭出しボタン、１０ｂ７…巻戻しボタン、１０ｂ８…早送りボタン、１０ｂ９…順頭出しボタン、１０ｂ１０…複合操作ボタン（録画一時停止ボタン）、１０ｃ…フォーカス、１０ｄ，１０ｄ′…選択用案内画面、１１…ＩＥＥＥ１３９４インタフェース、１１ａ…ＩＥＥＥ１３９４バス、１２…受光部、１３…リモコン、１３ａ…カーソルキー、１３ｂ…決定ボタン１３ｂ…外部録画機器操作ボタン、１００…デジタルテレビ受信機、２００…外部録画機器。
【図１】
2004357012.tif 000003
【図２】
2004357012.tif 000004
【図３】
2004357012.tif 000005
【図４】
2004357012.tif 000006
【図５】
2004357012.tif 000007
【図６】
2004357012.tif 000008